(57)【要約】【課題】強度が高い浴室内装部材を提供する。【解決手段】浴室内装部材１は、第一部材４と、第一部材４との間に中空部Ｓを形成するように第一部材４と対向して配置されるとともに、縁部５２ｕが第一部材４の縁部４６ｄと溶着された第二部材５と、中空部Ｓに配置された第一リブ６と、を備え、第一リブ６における第一部材４側の端部６ｕは第一部材４に固定され、第一リブ６における第二部材５側の端部６ｄは第二部材５に溶着されていることを特徴とする。【選択図】図４
2020130711.tif 000002
【特許請求の範囲】
【請求項１】
第一部材と、
該第一部材との間に中空部を形成するように該第一部材と対向して配置されるとともに、縁部が前記第一部材の縁部と溶着された第二部材と、
前記中空部に配置された第一リブと、を備え、
該第一リブにおける前記第一部材側の端部は前記第一部材に固定され、前記第一リブにおける前記第二部材側の端部は前記第二部材に溶着されていることを特徴とする浴室内装部材。
【請求項２】
前記第一部材は、該第一部材と前記第二部材とが対向する対向方向から見て、第一方向に長く、該第一方向と直交する第二方向に短い形状をなし、
前記第一リブは、前記第一方向に延びている請求項１に記載の浴室内装部材。
【請求項３】
前記中空部に配置されるとともに前記第二方向に延びる第二リブを備え、
該第二リブにおける前記第一部材側の端部は前記第一部材に固定され、前記第二リブにおける前記第二部材側の端部は前記第二部材と隙間を有して配置されている請求項２に記載の浴室内装部材。
【請求項４】
前記第一リブは、前記第二部材に振動溶着により溶着されている請求項１から３のいずれか一項に記載の浴室内装部材。
【発明の詳細な説明】
【技術分野】
【０００１】
本発明は、浴室内装部材に関する。
【背景技術】
【０００２】
従来から、浴室に設置されるカウンター等の浴室内装部材や便座等の設備部材では、樹脂製部材どうしが溶着されて構成されたものが知られている。例えば、座表部材と、座裏部材とを備え、座表部材の縁部の下面と座裏部材の縁部の上面とが溶着され、座表部材と座裏部材との間に中空部が形成された便座が提案されている（下記の特許文献１参照）。
【先行技術文献】
【特許文献】
【０００３】
【特許文献１】特開２０１０−９９２７４号公報
【発明の概要】
【発明が解決しようとする課題】
【０００４】
しかしながら、上記の便座では、座表部材と座裏部材との間には中空部が形成されているため、利用者が便座に着座すると、座表部材に利用者の荷重が作用し、座表部座が下方に撓んでしまう等の問題点がある。浴室内装部材においても、荷重が作用しても撓まずに、強度が高いものが望まれている。
【０００５】
そこで、本発明は、上記事情に鑑みてなされたものであり、強度が高い浴室内装部材を提供する。
【課題を解決するための手段】
【０００６】
上記目的を達成するために、本発明は以下の手段を採用している。
すなわち、本発明に係る浴室内装部材は、第一部材と、該第一部材との間に中空部を形成するように該第一部材と対向して配置されるとともに、縁部が前記第一部材の縁部と溶着された第二部材と、前記中空部に配置された第一リブと、を備え、該第一リブにおける前記第一部材側の端部は前記第一部材に固定され、前記第一リブにおける前記第二部材側の端部は前記第二部材に溶着されていることを特徴とする。
【０００７】
このように構成された浴室内装部材では、第一部材と第二部材との間には、中空部が形成されている。第一部材の縁部と第二部材の縁部とは、溶着されている。中空部には、第一リブが配置されている。第一リブにおいて、第一部材側の端部（以下、一端部と称する）が第一部材に固定され、第二部材側の端部（以下、他端部と称する）が第二部材に溶着されている。よって、一端部が第一部材に固定されるとともに他端部が第二部材に溶着された第一リブにより、浴室内装部材の強度を高めることができる。
【０００８】
また、本発明に係る浴室内装部材では、前記第一部材は、該第一部材と前記第二部材とが対向する対向方向から見て、第一方向に長く、該第一方向と直交する第二方向に短い形状をなし、前記第一リブは、前記第一方向に延びていることが好ましい。
【０００９】
このように構成された浴室内装部材では、第一部材は第一方向に長く、第一リブは第一部材の長手方向である第一方向に延びている。一般的に、長手方向に沿って反りが生じやすいが、上記構成では、長手方向である第一方向に延びるように第一リブが設けられているため、反りが生じにくい。
また、第一部材と第二部材とを振動溶着する場合には、第一部材及び第二部材の少なくとも一方を長手方向である第一方向に振動させるが、第一部材に固定された第一リブの延在方向が振動方向と同じであるため、第一リブが振動の支障となることがなることがない。
【００１０】
また、本発明に係る浴室内装部材は、前記中空部に配置されるとともに前記第二方向に延びる第二リブを備え、該第二リブにおける前記第一部材側の端部は前記第一部材に固定され、前記第二リブにおける前記第二部材側の端部は前記第二部材と隙間を有して配置されていてもよい。
【００１１】
このように構成された浴室内装部材では、中空部には、第二方向に延びる第二リブが配置されている。第二リブにおいて、第一部材側の端部（以下、一端部と称する）が第一部材に固定され、第二部材側の端部（以下、他端部と称する）が第二部材と隙間を有して配置されている。よって、第一部材には第二リブの一端部が固定されるため、第一部材の強度を高めることができる。
また、第一部材と第二部材とを振動溶着する場合には、第一部材及び第二部材の少なくとも一方を長手方向である第一方向に振動させる。溶着後も第二リブの他端部が第二部材と隙間を有して配置されるように、溶着前も第二リブの他端部は第二部材との間に十分な隙間を有して配置されているため、第二リブが第二部材に引っかかったりして振動の支障となることがなることがない。
【００１２】
また、本発明に係る浴室内装部材では、前記第一リブは、前記第二部材に振動溶着により溶着されていてもよい。
【００１３】
このように構成された浴室内装部材では、第一リブを、振動溶着により第二部材に確実に溶着することができる。
【発明の効果】
【００１４】
本発明に係る浴室内装部材によれば、強度を高くすることができる。
【図面の簡単な説明】
【００１５】
【図１】本発明の一実施形態に係る浴室内装部材を備える浴室ユニットにおいて、浴室内装部材の使用状態を示す斜視図である。
【図２】本発明の一実施形態に係る浴室内装部材を備える浴室ユニットにおいて、浴室内装部材の収納状態を示す斜視図である。
【図３】本発明の一実施形態に係る浴室内装部材が使用状態に配置されている状態で、浴室内装部材を上方から見た図である。
【図４】図３のＡ−Ａ線断面図である。
【図５】図３のＢ−Ｂ線断面図である。
【発明を実施するための形態】
【００１６】
以下、本発明の一実施形態に係る浴室内装部材について説明する。本実施形態では、浴室内装部材の一例として、浴室カウンター１を例に挙げて説明する。
図１及び図２は、本実施形態に係る浴室カウンター（浴室内装部材）１を備える浴室ユニット１００の斜視図である。図１は、浴室カウンター１の使用状態を示す図であり、図２は浴室カウンター１の収納状態を示す図である。
【００１７】
図１及び図２に示すように、本実施形態に係る浴室カウンター１は、浴室空間ＢＲの第一壁部１０３に対して着脱可能に構成されている。第一壁部１０３から取り外された浴室カウンター１は、図２に示すように第一壁部１０３に沿って収納可能とされている。以下では、浴室ユニット１００を例に挙げて説明するが、浴室カウンター１は浴室ユニット１００に限らず、在来工法により施工された浴室においても適用可能である。
【００１８】
図１に示すように、浴室ユニット１００は、建物の躯体内にフレームとパネルとを用いて、床、壁、天井及び浴槽等を組み立てて設置される。浴室ユニット１００内に形成される浴室空間ＢＲには外枠形状が平面視で略長方形の浴槽１０１と、平面視略矩形であり、浴槽１０１と壁との間の床部を構成する洗い場１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００１９】
本実施形態では、浴室ユニット１００の複数の壁部のうち、シャワー器具１０９、水栓１１０、シャワーホルダ１０７が設けられた壁を第一壁部１０３と称する。また、浴槽１０１のエプロン１０５の表面は、第一壁部１０３と直交して配置されている。
【００２０】
以下の説明において、第一壁部１０３の壁面に沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、使用者が第一壁部１０３に向かって立つ場合の左右をそれぞれ左側、右側と称する。本実施形態では、幅方向の左側に浴槽１０１が配置され、右側に洗い場１０２が配置されている。
【００２１】
図１及び図２に示すように、浴室カウンター１（以下、「カウンター」と記載する。）は、第一壁部１０３に取り付けられたブラケット３（図２参照。以下同じ。）に対して着脱可能に構成されている。本実施形態では、第一壁部１０３の水栓１１０の下方、かつ、洗い場１０２の床面から上方に離間した位置に、カウンター１が取り付けられる。
【００２２】
第一壁部１０３に対して着脱可能なカウンター１をブラケット３から取り外した際に、図２に示すようにカウンター１を収納することできる。図１に示すように、天板部４１の載置面４１ｕを上方に向けて配置してブラケット３に支持された状態をカウンター１の使用状態と称する。使用状態では、天板部４１は、第一壁部１０３からに略水平方向に突出して配置される。一方、図２に示すように、カウンター１の天板部４１の載置面４１ｕが手前側を向いて配置されて保持される状態を収納状態と称する。
【００２３】
次に、カウンター１の構成について、使用状態の配置に基づき説明する。
図３は、カウンター１が使用状態に配置されている状態で、カウンター１を上方から見た図である。図４は、図３のＡ−Ａ線断面図であり、第一リブが第二部材に溶着される前の状態を二点鎖線で示している。
図３に示すように、カウンター１は、平板状の部材である。図４に示すように、カウンター１は、天板体１０と、底板部材（第二部材）５と、を備えている。
【００２４】
天板体１０は、天板部材（第一部材）４と、横リブ（第一リブ）６と、縦リブ（第二リブ）７と、を有している。天板部材４、横リブ６及び縦リブ７は、それぞれＡＢＳ樹脂等の樹脂材料により形成されている。
【００２５】
天板部材４は、使用状態において底板部材５よりも上方に配置されている。天板部材は、天板部４１と、周壁部４６と、を有している。
【００２６】
天板部４１は、板状に形成されている。天板部４１は、板厚方向を使用状態における上下方向に向けて配置されている。図３に示すように、使用状態における上方（天板部材４と底板部材５とが対向する対向方向）から見て、天板部４１は、略長方形に形成されるとともに、四隅が円弧形状をなしている。天板部４１は、幅方向（第一方向）の方が、奥行方向（第二方向）よりも長い形状をなしている。天板部４１の上面４１ｕは、物品を載置可能な載置面とされている。
【００２７】
天板部４１には、厚さ方向（使用状態における上下方向）に貫通する係合孔４３が形成されている。
【００２８】
係合孔４３は、天板部４１の２つの長辺端部４１ａ，４１ｂのうち、使用状態における手前側に位置する長辺端部４１ｂの近傍であって、長辺端部４１ｂよりも奥側に配置されている。係合孔４３は、天板部４１の幅方向の略中央に配置されている。
【００２９】
係合孔４３は、幅方向に長い形状をなしている。係合孔４３は、幅方向に延びている。係合孔４３の幅方向の両端部は、円弧形状をなしている。
【００３０】
図４に示すように、周壁部４６は、天板部４１の外縁部４１ｃの全周から、使用状態における下方に延びるように設けられている。周壁部４６には、使用状態における下端部、且つ内側（平面視における天板部４１の中央側）には、上方に凹む段部４７が形成されている。
【００３１】
底板部材５は、天板部材４と対向して、天板部材４の下方に配置されている。底板部材５は、ＡＢＳ樹脂等の樹脂材料により形成されている。本実施形態のカウンター１は、天板体１０と底板部材５とが、溶着されて形成されている。
底板部材５は、底板部５１と、突出壁部５２と、を有している。
【００３２】
底板部５１は、板状に形成されている。底板部５１は、板厚方向を使用状態における上下方向に向けて配置されている。底板部５１は、天板部材４の天板部４１と略同一の形状をなしている。
【００３３】
突出壁部５２は、底板部５１の外縁部の全周から、使用状態における上方に突出するように設けられている。突出壁部５２は、天板部材４の周壁部４６の段部４７と対応した形状をなしている。
【００３４】
底板部材５の突出壁部５２の上端部（縁部）５２ｕと、天板部材４の周壁部４６の段部４７を含む周壁部４６の下端部（縁部）４６ｄとは、溶着されている。天板部材４と底板部材５との間には、中空部Ｓが形成されている。
【００３５】
底板部材５には、天板部材４の係合孔４３（図３参照。以下同じ。）と対応する位置に、係合孔４３と略同一形状の係合孔（不図示。以下同じ。）が形成されている。
【００３６】
天板部材４の係合孔４３及び底板部材５の係合孔は、図１に示す使用状態において、天板部４１上の水を排水する排水口として機能する。天板部材４の係合孔４３及び底板部材５の係合孔は、図２に示す収納状態において、第一壁部１０３に取り付けられたブラケット３と係合される。
【００３７】
図４に示すように、横リブ６は、中空部Ｓに配置されている。横リブ６は、幅方向に延びている。図３に示すように、横リブ６は、奥行方向に離間して複数設けられている。
【００３８】
横リブ６は、天板部材４と一体成型で形成されている。横リブ６の（使用状態における）上端部６ｕは、天板部材４の天板部４１に固定されている。横リブ６の幅方向の端部６ａは、天板部材４の周壁部４６における幅方向の両端部に配置されている部分に固定されている。
【００３９】
図４では、横リブ６が底板部材５に溶着される前の状態を二点鎖線で示している。図４に示すように、溶着される前の横リブ６の下端部６ｃでは、底板部材５の底板部５１とわずかな隙間を有して配置されている。溶着工程後、横リブ６の下端部６ｄは、底板部５１に溶着される。すなわち、溶着前の横リブ６の下端部６ｃは、溶着後の横リブ６の下端部６ｄとなる。
【００４０】
図５は、図３のＢ−Ｂ線断面図である。図５に示すように、底板部材５の底板部５１には、上方に突出するガイド壁部５４が設けられている。
【００４１】
ガイド壁部５４は、横リブ６の下端部６ｄを挟んで奥行方向の両側に設けられている。換言すると、各横リブ６に対して、一対のガイド壁部５４が設けられている。一対のガイド壁部５４の離間距離は、横リブ６の奥行方向の長さよりもわずかに長い。
【００４２】
各ガイド壁部５４の上面５４ｕは、対をなすガイド壁部５４に近接するにしたがって次第に（使用状態における）下方に向かっている。
【００４３】
縦リブ７は、中空部Ｓに配置されている。縦リブ７は、奥行方向に延びている。図３に示すように、縦リブ７は、幅方向に離間して複数設けられている。
【００４４】
図４に示すように、縦リブ７は、天板部材４と一体成型で形成されている。縦リブ７の（使用状態における）上端部７ｕは、天板部材４の天板部４１に固定されている。図３に示すように、縦リブ７の奥行方向の端部７ａは、天板部材４の周壁部４６における奥行方向の両端部に配置されている部分に固定されている。
【００４５】
図４に示すように、横リブ６が底板部材５に溶着された後の状態において、縦リブ７の（使用状態における）下端部７ｄでは、底板部材５の底板部５１と隙間Ｓ１を有して配置されている。なお、溶着前の状態では、縦リブ７の下端部と底板部５１との間の隙間は、溶着後の隙間Ｓ１と略同一または僅かに大きく、溶着前の横リブ６の下端部６ｃと底板部５１との間の隙間よりも広い。
【００４６】
上記のカウンター１では、天板体１０は、天板部材４、横リブ６及び縦リブ７が一体成型されて形成されている。天板体１０と底板部材５とは、振動溶着により、溶着されている。
【００４７】
振動溶着の際には、天板体１０及び底板部材５の少なくとも一方を、カウンター１の長手方向である幅方向に振動させながら加圧する。この際に、横リブ６の下端部６ｃは、一対のガイド壁部５４の間にガイドされて、幅方向に振動する。
なお、振動溶着の他に、熱板溶着、熱風溶着、超音波溶着、熱線溶着、高周波溶着等の方法により、溶着されていてもよい。
【００４８】
このように構成された浴室ユニット１００では、天板部材４と底板部材５との間には、中空部Ｓが形成されている。天板部材４の縁部４６ｄと底板部材５の縁部５２ｕとは、溶着されている。中空部Ｓには、横リブ６が配置されている。横リブ６において、使用状態における上端部６ｕが天板部材４に固定され、使用状態における下端部６ｄが底板部材５に溶着されている。よって、上端部６ｕが天板部材４に固定されるとともに下端部６ｄが底板部材５に溶着された横リブ６により、カウンター１は使用状態における上下方向に撓みにくく、カウンター１の強度を高めることができる。
【００４９】
また、天板部材４は幅方向に長く、横リブ６は天板部材４の長手方向である幅方向に延びている。一般的に、長手方向に沿って反りが生じやすいが、上記のカウンター１では、長手方向である幅方向に延びるように横リブ６が設けられているため、反りが生じにくい。
【００５０】
また、天板体１０と底板部材５とを振動溶着する場合には、天板体１０及び底板部材５の少なくとも一方を長手方向である幅方向に振動させるが、天板部材４に固定された横リブ６の延在方向が振動方向と同じであるため、横リブ６が振動の支障となることがなることがない。
【００５１】
また、中空部Ｓには、奥行方向に延びる縦リブ７が配置されている。縦リブ７において、使用状態における上端部７ｕが天板部材４に固定され、使用状態における下端部７ｄが底板部材５と隙間Ｓ１を有して配置されている。よって、天板部材４には縦リブ７の上端部７ｕが固定されるため、天板部材４の強度を高めることができる。
【００５２】
また、天板体１０と底板部材５とを振動溶着する場合には、天板体１０及び底板部材５の少なくとも一方を長手方向である幅方向に振動させる。溶着後も縦リブ７の下端部７ｄが底板部材５と隙間Ｓ１を有して配置されるように、溶着前も縦リブ７の下端部は底板部材５との間に十分な隙間を有して配置されているため、縦リブ７が底板部材５に引っかかったりして振動の支障となることがなることがない。
【００５３】
また、横リブ６を、振動溶着により底板部材５に確実に溶着することができる。
【００５４】
また、振動溶着する際には、横リブ６の下端部６ｃは一対のガイド壁部５４の間にガイドされるため、横リブ６を確実に幅方向に振動させることができる。
【００５５】
なお、本発明に係る浴室ユニット１００は、上述した実施形態に限定されるものではなく、本発明の要旨を逸脱しない範囲で適宜の変更や置換等が可能である。
【００５６】
例えば、横リブ６及び縦リブ７は天板部材４と一体成型されるとともに、横リブ６は底板部材５に溶着されているが、本発明はこれに限られない。横リブ６及び縦リブ７が底板部材５と一体成型されるとともに、横リブ６が天板部材４に溶着される構成であってもよい。この場合には、横リブ６及び縦リブ７が成形される際に底板部材５にヒケ（凹む）等が生じても、底板部材５はカウンター１の下部に配置されているため、ヒケ等が目立つことがない。
【００５７】
また、上記に示す実施形態では、横リブ６及び縦リブ７の両方が設けられているが、本発明はこれに限られない。第一リブにおける第二部材側の端部が第二部材に溶着された第一リブが少なくとも設けられていればよい。本実施形態では、第一リブである横リブ６は、幅方向に延びているが、本発明はこれに限られず、第一リブが短手方向に延びていてもよい。
【符号の説明】
【００５８】
１…浴室カウンター（浴室内装部材、カウンター）
３…ブラケット
４…天板部材（第一部材）
５…底板部材（第二部材）
６…横リブ（第一リブ）
７…縦リブ（第二リブ）
１０…天板体
１００…浴室ユニット
Ｓ…中空部
Ｓ１…隙間
【図１】
2020130711.tif 000003
【図２】
2020130711.tif 000004
【図３】
2020130711.tif 000005
【図４】
2020130711.tif 000006
【図５】
2020130711.tif 000007